【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
コンテンツを構成する複数のセグメントに対して受信装置が取得要求を行うために用いるアドレス情報を含むメタデータを前記受信装置に送信する送信装置であって、
前記メタデータに記述されたアドレス情報に基づくセグメントの取得要求を前記受信装置から受信すると共に、前記受信装置がセグメントの取得を終了することを示す終了指示を前記受信装置から受信する受信手段と、
前記受信装置からのセグメントの取得要求の受信に応じて前記受信装置に対してセグメントを送信すると共に、前記受信装置からの前記終了指示の受信に応じて前記受信装置へ送信するセグメントの終端を表す終端情報を前記メタデータに含めて送信する送信手段と
を有することを特徴とする送信装置。
【請求項２】
前記受信手段が前記受信装置から前記終了指示を含むメタデータの要求を受信した場合、前記終端情報を含むメタデータを生成し、前記受信手段が前記受信装置から前記終了指示を含まないメタデータの要求を受信した場合、前記終端情報を含まないメタデータを生成する生成手段を有し、
前記送信手段は、前記受信装置によるメタデータの要求の受信に応じて、前記生成手段により生成されたメタデータを前記受信装置へ送信することを特徴とする請求項１に記載の送信装置。
【請求項３】
前記受信手段が前記メタデータの取得要求を受信し、かつ、前記受信手段が前記終了指示を受信しない場合、前記送信手段はセグメントに対する取得要求を行うために用いるアドレス情報を含み前記終端情報を含まない前記メタデータを前記受信装置に送信し、前記受信手段が前記メタデータの取得要求と前記終了指示とを受信した場合、前記送信手段は前記アドレス情報を含まず前記終端情報を含む前記メタデータを前記受信装置に送信することを特徴とする請求項１又は２に記載の送信装置。
【請求項４】
前記受信手段が前記メタデータの取得要求を受信し、かつ、前記受信手段が前記終了指示を受信しない場合、前記送信手段は前記複数のセグメントの再生順序を示す再生順序情報を含み前記終端情報を含まない前記メタデータを前記受信装置に送信し、前記受信手段が前記メタデータの取得要求と前記終了指示とを受信した場合、前記送信手段は前記再生順序情報を含まず前記終端情報を含む前記メタデータを前記受信装置に送信することを特徴とする請求項１に記載の送信装置。
【請求項５】
コンテンツを取得する取得手段を有し、
前記送信手段は、前記取得手段が取得したコンテンツの一部を構成するセグメントであって受信装置に送信可能な前記セグメントを示すメタデータを、前記受信装置からの取得要求に応じて前記受信装置に送信することを特徴とする請求項１から４のいずれか一項に記載の送信装置。
【請求項６】
コンテンツを取得する取得手段を有し、
前記送信手段は、前記取得手段が取得したコンテンツの一部を構成するセグメントであって受信装置に送信可能な前記セグメントを示すメタデータを、前記取得手段が前記コンテンツの取得を完了した後に、前記受信装置に送信することを特徴とする請求項１から４のいずれか一項に記載の送信装置。
【請求項７】
前記受信手段は、前記受信装置が前記セグメントの記録を行う記録モードであるか否かを示す記録情報を前記受信装置から受信し、
前記送信手段は、前記受信手段が前記終了指示を含む前記メタデータの取得要求を受信した場合であって前記受信装置が記録モードでない場合には、セグメントに対する取得要求を行うために用いるアドレス情報を含まないメタデータを前記受信装置に送信し、前記受信手段が前記終了指示を含む前記メタデータの取得要求を受信した場合であって前記受信装置が記録モードである場合にはアドレス情報を含むメタデータを前記受信装置に送信することを特徴とする請求項１に記載の送信装置。
【請求項８】
前記受信装置に前記セグメントを送信するために前記受信装置とセッションを確立する確立手段を有し、
前記受信手段は、前記セッションを確立した前記受信装置からセグメントの取得要求を受信し、
前記受信手段が前記セッションを確立した前記受信装置から前記終了指示を受信し、且つ、前記セグメントに対する取得要求を行うために用いるアドレス情報と前記終端情報を含むメタデータを前記送信手段が送信してから所定時間内に該受信装置から前記メタデータに応じたセグメントの取得要求を受信しない場合には、前記確立手段は該受信装置とのセッションを終了することを特徴とする請求項１に記載の送信装置。
【請求項９】
前記受信手段が受信した終了指示の送信元である前記受信装置に対し、前記送信装置がライブデータを送信しているか録画データを送信しているかを判定する判定手段と、
前記受信装置に対して録画データを送信していると前記判定手段により判定された場合、前記受信装置とのセッション終了前に他の受信装置からのセグメントの取得要求を受け付ける一方、前記受信装置に対してライブデータを送信していると前記判定手段により判定された場合、前記受信装置とのセッション終了後に他の受信装置からのセグメントの取得要求を受け付けるように前記送信装置の動作モードを制御する制御手段とをさらに有することを特徴とする請求項１から８のいずれか一項に記載の送信装置。
【請求項１０】
コンテンツを構成する複数のセグメントのうち少なくとも１つに対する取得要求を行うためのアドレス情報を含むメタデータを送信装置から受信する受信装置であって、
前記メタデータに記述されたアドレス情報に基づいてセグメントの取得要求を前記送信装置へ送信すると共に、前記セグメントの取得を終了することを示す終了指示を前記送信装置に送信する送信手段と、
前記送信手段によるセグメントの取得要求の送信に応じて前記送信装置から送信されるセグメントを受信すると共に、前記送信手段による終了指示の送信に応じて前記送信装置から送信されるメタデータであって、セグメントの終端を表す終端情報を含む前記メタデータを前記終了指示の応答として受信する受信手段と
を有することを特徴とする受信装置。
【請求項１１】
前記受信手段は、前記送信手段が前記送信装置に対して前記終了指示を含むメタデータの要求を送信した場合、前記送信装置から前記終端情報を含むメタデータを受信し、前記送信手段が前記送信装置に対して前記終了指示を含まないメタデータの要求を送信した場合、前記送信装置から前記終端情報を含まないメタデータを受信することを特徴とする請求項１０に記載の受信装置。
【請求項１２】
前記送信手段が前記メタデータの取得要求を送信し、かつ、前記送信手段が前記終了指示を送信しない場合、前記受信手段は前記セグメントに対する取得要求を行うために用いるアドレス情報を含み前記終端情報を含まない前記メタデータを前記送信装置から受信し、前記送信手段が前記メタデータの取得要求と前記終了指示とを送信した場合、前記受信手段は前記アドレス情報を含まず前記終端情報を含む前記メタデータを前記送信装置から受信することを特徴とする請求項１０に記載の受信装置。
【請求項１３】
コンテンツを構成する複数のセグメントに対して受信装置が取得要求を行うために用いるアドレス情報を含むメタデータを前記受信装置に送信する送信方法であって、
前記メタデータに記述されたアドレス情報に基づくセグメントの取得要求を前記受信装置から受信すると共に、前記受信装置がセグメントの取得を終了することを示す終了指示を前記受信装置から受信する受信ステップと、
前記受信装置からのセグメントの取得要求の受信に応じて前記受信装置に対してセグメントを送信すると共に、前記受信装置からの前記終了指示の受信に応じて、前記受信装置へ送信するセグメントの終端を表す終端情報を前記メタデータに含めて送信する送信ステップと
を有することを特徴とする送信方法。
【請求項１４】
コンテンツを構成する複数のセグメントのうち少なくとも１つに対する取得要求を行うためのアドレス情報を含むメタデータを送信装置から受信する受信方法であって、
前記メタデータに記述されたアドレス情報に基づいてセグメントの取得要求を前記送信装置へ送信すると共に、前記セグメントの取得を終了することを示す終了指示を前記送信装置に送信する送信ステップと、
前記送信手段によるセグメントの取得要求の送信に応じて前記送信装置から送信されるセグメントを受信すると共に、前記送信手段による終了指示の送信に応じて前記送信装置から送信されるメタデータであって、セグメントの終端を表す終端情報を含む前記メタデータを前記終了指示の応答として受信する受信ステップと
を有することを特徴とする受信方法。
【請求項１５】
コンピュータを請求項１から９のうちいずれか一項に記載の送信装置の各手段として動作させるためのプログラム。
【請求項１６】
コンピュータを請求項１０から１２のうちいずれか一項に記載の受信装置の各手段として動作させるためのプログラム。
【請求項１７】
請求項１から９のうちいずれか一項に記載の送信装置と、請求項１０から１２のうちいずれか一項に記載の受信装置とを有する通信システム。
【手続補正２】
【補正対象書類名】明細書
【補正対象項目名】０００８
【補正方法】変更
【補正の内容】
【０００８】
上述の目的を達成するために、本発明に係る送信装置は例えば、コンテンツを構成する複数のセグメントに対して受信装置が取得要求を行うために用いるアドレス情報を含むメタデータを前記受信装置に送信する送信装置であって、前記メタデータに記述されたアドレス情報に基づくセグメントの取得要求を前記受信装置から受信すると共に、前記受信装置がセグメントの取得を終了することを示す終了指示を前記受信装置から受信する受信手段と、前記受信装置からのセグメントの取得要求の受信に応じて前記受信装置に対してセグメントを送信すると共に、前記受信装置からの前記終了指示の受信に応じて前記受信装置へ送信するセグメントの終端を表す終端情報を前記メタデータに含めて送信する送信手段とを有する。
【手続補正３】
【補正対象書類名】明細書
【補正対象項目名】０００９
【補正方法】変更
【補正の内容】
【０００９】
また、本発明に係る受信装置は例えば、コンテンツを構成する複数のセグメントのうち少なくとも１つに対する取得要求を行うためのアドレス情報を含むメタデータを送信装置から受信する受信装置であって、前記メタデータに記述されたアドレス情報に基づいてセグメントの取得要求を前記送信装置へ送信すると共に、前記セグメントの取得を終了することを示す終了指示を前記送信装置に送信する送信手段と、前記送信手段によるセグメントの取得要求の送信に応じて前記送信装置から送信されるセグメントを受信すると共に、前記送信手段による終了指示の送信に応じて前記送信装置から送信されるメタデータであって、セグメントの終端を表す終端情報を含む前記メタデータを前記終了指示の応答として受信する受信手段とを有する。